(57)【要約】【課題】  収納した地図の向きを容易かつ迅速に変更することができる単車用ツーリングバッグを提供することを目的とする。【解決手段】  単車の燃料タンクＴの上部に着脱自在に取り付けられる単車用ツーリングバッグである。かつ、バッグ本体１と、地図Ｍを収納しかつ透明な表面フィルム３を有する地図収納扁平体２と、を備えている。さらに、バッグ本体１を燃料タンクＴの上部に取り付けた状態のバッグ本体１の上面７に平面状に回転自在に地図収納扁平体２を取り付けたものである。【選択図】  図２
2006298090.tif 000002
【特許請求の範囲】
【請求項１】
単車の燃料タンク（Ｔ）の上部に着脱自在に取り付けられる単車用ツーリングバッグであって、
バッグ本体（１）と、地図（Ｍ）を収納しかつ透明な表面フィルム（３）を有する地図収納扁平体（２）と、を備え、バッグ本体（１）を上記燃料タンク（Ｔ）の上部に取り付けた状態のバッグ本体（１）の上面（７）に平面状に回転自在に上記地図収納扁平体（２）を取り付けたことを特徴とする単車用ツーリングバッグ。
【請求項２】
上記地図収納扁平体（２）の下盤部（５）の中央部と、上記バッグ本体（１）の上面部（17）とを、枢結部材（６）にて回転可能に取り付けた請求項１記載の単車用ツーリングバッグ。
【請求項３】
上記地図収納扁平体（２）に方位磁石（８）を取り付けた請求項１又は２記載の単車用ツーリングバッグ。
【請求項４】
上記地図収納扁平体（２）が風等にて回転するのを防止して所定の位置で固定する位置固定手段（９）を具備する請求項１，２又は３記載の単車用ツーリングバッグ。
【発明の詳細な説明】
【技術分野】
【０００１】
本発明は、地図を収納して単車に取り付ける単車用ツーリングバッグに関する。
【背景技術】
【０００２】
単車で長距離を移動する（ツーリングする）際に、道路地図を収納したバッグを携帯して走行することが多く、この時、バッグに地図を収納したままでも地図を確認し易いように、透明の表面フィルムを有する収納部に地図を収納して単車の燃料タンクの上部に着脱自在に取り付けることができるツーリング用バッグがあった（例えば、特許文献１参照）。
また、最近は、地図を携帯する代わりに、ナビゲーション装置を搭載した単車もあるが、単車の走行時の振動でナビゲーション装置の表示画面の画像が乱れたり、雨がかかって故障し易い等の欠点があるため、地図を使用する者も多い。
【特許文献１】実開平６−６５１８３号公報
【発明の開示】
【発明が解決しようとする課題】
【０００３】
しかし、進行方向の方角と地図が示す方角が一致しない場合、例えば、地図の北を前方に向くように配置して南に向かって走行する場合、道を把握しにくい（ノースアップの地図が判別しにくい）ことがある。そのため、単車を一旦停止させ、地図の向きを（前方に南が配置されるように）変えてバッグに入れ直していた。また、グローブを嵌めたままで地図を入れ直すことは困難であったので、地図の向きを変える度にグローブを外さなければならず、時間のかかる作業だった。
そこで、本発明は、収納した地図の向きを容易かつ迅速に変更することができる単車用ツーリングバッグを提供することを目的とする。
【課題を解決するための手段】
【０００４】
上記目的を達成するために、本発明に係る単車用ツーリングバッグは、単車の燃料タンクの上部に着脱自在に取り付けられる単車用ツーリングバッグであって、バッグ本体と、地図を収納しかつ透明な表面フィルムを有する地図収納扁平体と、を備え、バッグ本体を上記燃料タンクの上部に取り付けた状態のバッグ本体の上面に平面状に回転自在に上記地図収納扁平体を取り付けたものである。
【０００５】
また、上記地図収納扁平体の下盤部の中央部と、上記バッグ本体の上面部とを、枢結部材にて回転可能に取り付けたものである。
また、上記地図収納扁平体に方位磁石を取り付けたものである。
また、上記地図収納扁平体が風等にて回転するのを防止して所定の位置で固定する位置固定手段を具備するものである。
【発明の効果】
【０００６】
本発明は、次のような著大な効果を奏する。
本発明に係る単車用ツーリングバッグによれば、収納した地図の向きを容易かつ迅速に変更することができる。
つまり、地図が示す方角を進行方向の方角に一致するように地図の向きを調整することができ、特にノースアップの地図を判別しにくいドライバーにとって好都合である。
また、従来のように、ツーリング用バッグから地図を一旦取り出して向きを変えて入れ直す作業を行う必要がなくなり、地図を収納したまま短秒間で向きを変えることができる。また、グローブを嵌めたままでも簡単に地図の向きを変えることができる。
さらに、地図を 360°どの方角にも対応して向きを変更・調整することができる。
【発明を実施するための最良の形態】
【０００７】
以下、実施の形態を示す図面に基づき本発明を詳説する。
図１〜図５に示す本発明の第１の実施の形態に於て、図１に示すように、単車の燃料タンクＴの上部表面には、本発明のツーリング用バッグＢが着脱自在に取り付けられている。このツーリング用バッグＢは、バッグ本体１と、地図Ｍを収納しかつ透明な表面フィルム３を有する地図収納扁平体２と、を備えている。
さらに、バッグ本体１を燃料タンクＴの上部表面に取り付けた状態の───取付状態の──バッグ本体１の上面７に平面状に回転自在に地図収納扁平体２が取り付けられている。
【０００８】
以下、この取付状態に於て、具体的に説明する。
燃料タンクＴは、図示省略の単車の座席シートとハンドルとの間の上部に配設されたものである。内部に小物等を収納可能な箱型のバッグ本体１は、燃料タンクＴの上部に左右一対の取着片10，10にて着脱自在に取り付けられている（図４又は図５参照）。取着片10の先端部にはマグネット11が内装され、取着片10の基端部はバッグ本体１の底面部12に付設されている。また、バッグ本体１の前面部13には、バッグ本体１を燃料タンクＴから取り外した場合に、手で持つための把持部14が設けられている（図２、図４又は図５参照）。
【０００９】
地図収納扁平体２は、上盤部４と、下盤部５と、上盤部４と下盤部５とを連結する周壁面部15と、から形成される扁平直方体であり、内部に地図Ｍを収納する収納部21を具備している。上盤部４には、透明な軟質樹脂製の表面フィルム３を有し、地図収納扁平体２の周壁面部15の左側面には、上盤部４と下盤部５とを連結する帯状の連結部25を有している。さらに、周壁面部15の連結部25以外の面には、ファスナー24が連続して設けられ地図収納扁平体２は開閉自在となっている。
【００１０】
図４と図５に示すように、下盤部５の中央部と、バッグ本体１の上面部17の中央部とは、枢結部材６にて回転可能に連結されている。なお、平面視して、地図収納扁平体２とバッグ本体１とは、ほぼ同じ大きさに形成されている。
そして、図３に於て、枢結部材６は、地図収納扁平体２の下盤部５とバッグ本体１の上面部17とを貫通する軸部16と、軸部16の上下両端部に付設された２個の抜止め部18，18とを、有している。軸部16は、下盤部５の中央部に形成された孔部19と、上面部17の中央部に形成された孔部20とに、回転可能に挿入されている。一方の抜止め部18ａは下盤部５の上面に当接して設けられ、他方の抜止め部18ｂは上面部17の下面に当接して設けられている。
【００１１】
また、ツーリング用バッグＢは、地図収納扁平体２が風等にて回転するのを防止して所定の位置で固定する位置固定手段９を備えている。位置固定手段９は、バッグ本体１の上面７の全面に有するベース係合部22と、地図収納扁平体２の下盤部５の下面に設けられる２個の移動係合部23と、を有している。ベース係合部22と移動係合部23とは、互いに係合可能な面状ファスナーにて形成され、２個の移動係合部23は、枢結部材６を中心として前後に対称に配置されている（図４参照）。
【００１２】
地図収納扁平体２の収納部21内には、方位磁石８が収納されている。方位磁石８は、収納部21内の前方に設けられた袋部26に収納されている。この袋部26は、上盤部４の表面フィルム３の下面に透明の樹脂フィルムを貼って形成され、袋部26は前方に開口部27を有している。
【００１３】
図６に示す第２の実施の形態に於て、地図収納扁平体２が風等にて回転するのを防止する位置固定手段９は、互いに係合可能なベース係合部22と２個の移動係合部23，23とを有している。
ベース係合部22は、バッグ本体１の上面７に有する面状ファスナーであり、枢結部材６を中心として円環状に配設されている。
また、移動係合部23，23は、地図収納扁平体２の回転に伴って円環状のベース係合部22上を移動して所望の位置で係合する円弧状の面状ファスナーである。そして、移動係合部23は、下盤部５の下面に枢結部材６を中心として前後対称位置に配設されている。    
なお、図６に於て、図４と同一の符号は図４と同様の構成であるので説明を省略する。
【００１４】
本発明の単車用ツーリングバッグは設計変更自由であり、下盤部５は、地図収納扁平体２の形状を保持するために、樹脂製等の長方形板状部材を防水加工した布で被覆して形成してもよい。
また、枢結部材６の抜止め部18ａ，18ｂを、それぞれ上面部17と下盤部５に接着し、抜止め部18ａ，18ｂの一方を軸部16に回転可能に取り付けてもよく、さらに、ベース係合部22と移動係合部23を配設せず、位置固定手段９として、枢結部材６の回転動に抵抗を付与するようにしてもよい。
また、ベース係合部22を下盤部５の下面に設け、移動係合部23をバッグ本体１の上面７に設けるようにしても自由である。
【００１５】
上述した本発明である単車用ツーリングバッグの使用方法（作用）について説明する。  図２又は図３に於て、まず、地図収納扁平体２の周壁面部15のファスナー24を開放し、収納部21内に地図Ｍを収納し、袋部26内に方位磁石８を収納する。そして、ファスナー24を閉じて、図１に示すように、ツーリング用バッグＢを単車の燃料タンクＴの上部に取り付ける。
図１と図４に於て、ツーリング用バッグＢを燃料タンクＴに取り付けた状態では、地図Ｍは、北向きが進行方向（前方）に向くように収納されている。そして、進行方向の方角が北でない場合、例えば、北西に向かって走行する場合は、図５に示すように、地図収納扁平体２を回転させ、地図Ｍの北西方向を進行方向（前方）に向くように配置してから走行する。
また、走行途中に、地図Ｍの方角と進行方向の方角がずれてきた場合は、単車を一旦停止させて、地図Ｍの方角と進行方向の方角を一致させるように、地図収納扁平体２を回転させる。
【００１６】
以上のように、本発明の単車用ツーリングバッグは、単車の燃料タンクＴの上部に着脱自在に取り付けられる単車用ツーリングバッグであって、バッグ本体１と、地図Ｍを収納しかつ透明な表面フィルム３を有する地図収納扁平体２と、を備え、バッグ本体１を燃料タンクＴの上部に取り付けた状態のバッグ本体１の上面７に平面状に回転自在に地図収納扁平体２を取り付けたので、収納した地図Ｍの向きを容易かつ迅速に変更することができる。
つまり、地図Ｍが示す方角を進行方向の方角に一致するように地図Ｍの向きを調整することができ、特にノースアップの地図Ｍを判別しにくいドライバーにとって好都合である。
また、従来のように、ツーリング用バッグから地図Ｍを一旦取り出して向きを変えて入れ直す作業を行う必要がなくなり、地図Ｍを収納したまま短秒間で向きを変えることができる。また、グローブを嵌めたままでも簡単に地図Ｍの向きを変えることができる。
さらに、地図Ｍを 360°どの方角にも対応して向きを変更・調整することができる。
【００１７】
また、地図収納扁平体２の下盤部５の中央部と、バッグ本体１の上面部17とを、枢結部材６にて回転可能に取り付けたので、地図収納扁平体２を簡単に回転させることができ、収納した地図Ｍの向きを短秒間でスムースに変更し調整できる。
【００１８】
また、地図収納扁平体２に方位磁石８を取り付けたので、地図Ｍが示す方角を進行方向の方角に正確に一致させることができる。
【００１９】
また、地図収納扁平体２が風等にて回転するのを防止して所定の位置で固定する位置固定手段９を具備するので、地図収納扁平体２が走行中に風を受けても回転することがなく、収納した地図Ｍの向きを所望の向きに保持できる。また、ツーリング用バッグＢを燃料タンクＴから取り外して持ち歩く際も、地図収納扁平体２が（自重等によって）不必要に回転することがなく、安定して持ち運ぶことができる。
【図面の簡単な説明】
【００２０】
【図１】本発明の第１の実施の形態を示す斜視図である。
【図２】側面図である。
【図３】要部側面図である。
【図４】平面図である。
【図５】平面図である。
【図６】第２の実施の形態を示す平面図である。
【符号の説明】
【００２１】
１  バッグ本体
２  地図収納扁平体
３  表面フィルム
５  下盤部
６  枢結部材
７  上面
８  方位磁石
９  位置固定手段
17  上面部
Ｍ  地図
Ｔ  燃料タンク
【図１】
2006298090.tif 000003
【図２】
2006298090.tif 000004
【図３】
2006298090.tif 000005
【図４】
2006298090.tif 000006
【図５】
2006298090.tif 000007
【図６】
2006298090.tif 000008